(57)【特許請求の範囲】
【請求項１】
分与器において、同軸管である中央の液体分与チューブ及び外側の管状の空気分与チューブにより構成されている固定分与チューブと、液体を保持している液体容器と、圧縮容積部へ圧縮可能であると共に膨張容積部へ膨張するように偏倚されている圧縮可能な液体室と、この圧縮可能な液体室から前記液体容器内の前記液体中に延びているディップチューブと、圧縮容積部へ圧縮可能であると共に膨張容積部へ膨張するように偏倚されている圧縮可能な空気室と、この圧縮可能な空気室と前記固定分与チューブの前記空気分与チューブとの間を連通している空気通路とを包含し、前記圧縮可能な液体室の圧縮がこの圧縮可能な液体室内の液体を前記固定分与チューブの前記液体分与チューブ内に付勢せしめ、一方、前記圧縮可能な液体室の膨張が液体を前記ディップチューブを通して前記圧縮可能な液体室内に吸い上げ、また、前記圧縮可能な空気室の圧縮がこの圧縮可能な空気室内の空気を前記固定分与チューブの前記空気分与チューブ内に付勢せしめ、一方、前記圧縮可能な空気室の膨張が空気を前記圧縮可能な空気室内に吸い込むようにしたことを特徴とする分与器。
【請求項２】
請求項１記載の分与器において、更に、前記圧縮可能な液体室を支持する固定ポンプ支持体を包含し、前記固定分与チューブが前記固定ポンプ支持体と連通し、前記圧縮可能な液体室の圧縮が前記固定ポンプ支持体の液体通路を通して前記圧縮可能な液体室内の液体を前記固定分与チューブの前記液体分与チューブ内に付勢せしめ、また、前記圧縮可能な空気室の圧縮が前記固定ポンプ支持体の空気通路を通して前記圧縮可能な空気室内の空気を前記固定分与チューブの前記空気分与チューブ内に付勢せしめることを特徴とする分与器。
【請求項３】
請求項２記載の分与器において、前記固定分与チューブがその出口部に混合室を包含し、前記液体分与チューブと前記空気分与チューブとが前記混合室で合流していることを特徴とする分与器。
【請求項４】
請求項３記載の分与器において、更に、デュアルアクチュエータを包含し、このデュアルアクチュエータが選択的に動かされて前記圧縮可能な液体室及び前記圧縮可能な空気室の両方を圧縮するようにしたことを特徴とする分与器。
【請求項５】
請求項４記載の分与器において、カウンターに取り付けられた分与器であって、前記液体容器、前記圧縮可能な液体室、前記ディップチューブ、前記圧縮可能な空気室、前記固定ポンプ支持体及び前記デュアルアクチュエータが前記カウンターの下に配設され、前記固定分与チューブが前記カウンターの下の前記固定ポンプ支持体との連通部から前記カウンターを貫通して前記カウンターの頂部側にまで延びて、前記混合室を前記カウンターの上方に位置させるようにしたことを特徴とする分与器。
【発明の詳細な説明】
【技術分野】
【０００１】
本発明は、分与器、詳細には、固定分与チューブを備えている泡状石けん分与器に関する。より詳細には、本発明はカウンターに取り付けられる泡状石けん分与システムに関し、このようなシステムにおいては、泡状石けんポンプがカウンターの下に取り付けられていると共に液体石けん容器を収容している。
【背景技術】
【０００２】
手を良好に衛生にすることが必要であるとする意識が広がるにつれて、石けん分与器の使用も広がり続けている。多数の型式の分与システムが知られており、これらのシステムはポータブルで手で持つ分与器、壁に取り付けられる分与器及びカウンターに取り付けられる分与器を包含する。典型的には、これらの石けん分与器は作動により所定量の液体石けんを分与する。１０年ほど前から、泡状石けん分与器に興味が広がっており、このような泡状石けん分与器においては空気と液体石けんとが混合されて、実質的に均質の泡を生成する。
【０００３】
インライン作動型の泡状石けん分与器が特に興味をもたれている。その理由は、これらの分与器は改善することができる多数の欠点を有しているからである。これらの分与器はアクチュエータを包含し、このアクチュエータは押されて空気室及び石けん室を圧縮し、これにより空気及び石けんを混合室を通して付勢せしめて泡を生成する。泡は、それから、分与スパウトを通して付勢される。分与チューブはアクチュエータに連結されており、このアクチュエータは往復動されて泡を分与し、したがって、分与チューブは、アクチュエータが押されたときに動いて製品を分与し、またアクチュエータがその休止位置へ戻されたときにも動く。これらの分与器は、手で持つ分与器の場合には満足して作動する。その理由は、分与チューブ及びスパウト（これらを通して泡が分与される）がアクチュエータに形成されており、たとえ分与チューブ及びスパウトが分与の間中動いても、使用者は手をスパウトの下に簡単に置き、スパウトを通して分与される泡を捕らえることができるからである。しかしながら、これらの分与器は、分与チューブ及びスパウトがアクチュエータと非連結されているカウンター取付けの場合においては問題を有している。
【０００４】
すなわち、カウンターに取り付けられている分与器においては、液体石けん源がカウンターの下に取り付けられてポンプ機構と連結され、泡状石けんを分与チューブの出口で分与しており、この分与チューブはカウンターの上に、好適には流し台に設けた堅い固定スパウトを通して延びている。分与器用のアクチュエータは、スパウトのすぐ隣に設けられ、分与チューブの出口を通して泡を分与せしめるために押される。アクチュエータを押すことにより、空気及び液体石けんのポンピングを生じさせて、空気及び液体石けんを進め、分与チューブを通して混合せしめて付勢せしめる。分与チューブはポンプ機構と連結されており、したがって、アクチュエータがポンプ機構を圧縮又は膨張せしめるために往復動されると、分与チューブはスパウト内を往復動する。スパウト内における分与チューブの往復動はポンプを電子的に往復動せしめる、分与器のエネルギーを増大して作用し、また、手動型分与器においては手により作動せしめるのに大量の力を要求する。
【０００５】
カウンターに取り付けられる多くの石けん分与器は、また、カウンターの下であって、石けん及び空気ポンプ機構の付近に泡を生成せしめ、それから、この泡をかなりの長さの分与チューブを通して上向きに付勢せしめる。これは、幾つかの問題を生じせしめる。第１に、泡が分与チューブを通して進むにしたがって、泡が品質を落し、不十分な泡状製品を生成せしめる。第２に、泡を分与チューブの長さを通して押し進めることは空気及び液体石けんをそれぞれ分離して押し進めるよりも一層大きな力を必要とし、これは石けん分与器用アクチュエータを押すことを一層困難にせしめ、また、電子作動型自動石けん分与器の場合においては、追加の電力を必要とする。米国特許出願公開２００６/００１１６５５は、次に述べるようなカウンター取付け型石けん分与器を示している。この石けん分与器は、カウンターの下のポンプ機構の付近ではないスパウトの所で泡を生成せしめるが、しかし、もっぱら、システムが２つの分離した独立する電子式の石けんポンプ及び空気ポンプを備えるようにすることを焦点にしており、インライン作動型石けん分与器と構造的には同様ではない。
【発明の開示】
【発明が解決しようとする課題】
【０００６】
したがって、当分野においては、泡を分与する間中及びポンプを空気及び液体で再充填する間中分与チューブが固定されている泡ポンプが必要であることが存在する。以下に述べる、本発明によるポンプ及び分与器は種々の単一の成分製品又は多成分製品を分与するのに適当であることがわかるであろう。上述した必要は、特に、分与器がカウンターに取り付けられる場合において強い。上述した必要は、また、特に、皮膚ケア及び皮膚消毒製品のための分与技術、より詳細には、泡状石けんの泡状消毒製品を分与する技術において存在する。
【課題を解決するための手段】
【０００７】
本発明は、固定分与チューブ、すなわち、分与器の、製品を分与する作動によって動くことのない分与チューブを包含する分与器を提供する。本発明によれば、前記固定分与チューブは同軸管である中央の液体分与チューブ及び外側の管状の空気分与チューブにより構成されている。本発明による分与器は、また、液体を保持している液体容器と、圧縮容積部へ圧縮可能であると共に膨張容積部へ膨張するように偏倚されている圧縮可能な液体室と、この圧縮可能な液体室から前記液体容器内の前記液体中に延びているディップチューブとを包含し、前記圧縮可能な液体室の圧縮がこの圧縮可能な液体室内の液体を前記固定分与チューブの前記液体分与チューブ内に付勢せしめ、一方、前記圧縮可能な液体室の膨張が液体を前記ディップチューブを通して前記圧縮可能な液体室内に吸い上げる。本発明による分与器は、更に、圧縮容積部へ圧縮可能であると共に膨張容積部へ膨張するように偏倚されている圧縮可能な空気室と、この圧縮可能な空気室と前記固定分与チューブの前記空気分与チューブとの間を連通している空気通路とを包含し、前記圧縮可能な空気室の圧縮がこの圧縮可能な空気室内の空気を前記固定分与チューブの前記空気分与チューブ内に付勢せしめ、一方、前記圧縮可能な空気室の膨張が空気を前記圧縮可能な空気室内に吸い込む。
【０００８】
本発明の構成及び技術を完全に理解するために、下記の詳細な説明及び添付図面が次に参照される。
【発明を実施するための最良の形態】
【０００９】
図１−図３を参照するに、本発明の一実施例による分与器が符号１０により総括的に示されている。分与器１０は製品容器１２を包含し、この製品容器１２は泡ポンプ機構１４の作動により分与しようとする製品Ｐを保持している。一般に、容器１２内に保持されている製品Ｐは液体、又は重力に抗して吸い上げて分与することができる他の物質である。
【００１０】
泡ポンプ機構１４は、容器１２の開口端１６内に取り付けられている。図２及び図３を参照するに、泡ポンプ機構１４は圧縮可能な空気室１８を包含し、この空気室１８は容器１２のねじ切りした首部２０内に受け入れられ、その上側の半径方向フランジ２２がねじ切りした首部２０の開口端１６上に載っており、好適にはフランジ２２と首部２０の開口端１６との間には容器ガスケット２４が介在されている。この容器ガスケット２４は、容器１２の輸送及び取り扱い中に液体が漏れるのを防止する働きをする。軸方向支持体２６が、空気室１８の底部壁２８から上向きに延びている。この軸方向支持体２６は液体ポンプ支持体３０を軸方向支持体２６にわたって軸方向に取り付けるように支持し、液体ポンプ支持体３０の側壁３２が軸方向支持体２６の側部を下向きに延びていると共に軸方向支持体２６上の適所に例えば環状リブ３４及び環状デテント３６のところでスナップ係合している。したがって、空気室１８のための環状容積部が、空気室１８の側壁３８と液体ポンプ支持体３０の側壁３２との間に限定されている。この環状容積部は、更に、空気ピストン４０により限定され、この空気ピストン４０は軸方向支持体２６に取り付けるための穴４２を包含する。この空気ピストン４０は側壁３２及び側壁３８に直接に接触し、したがって接触は実質的に気密である。しかしながら、図４に最も良く示されているように、軸方向支持体２６はこの軸方向支持体の外面と液体ポンプ支持体３０の側壁３２の内面との間に空気通路４４を限定する軸方向トラフを包含する。この空気通路４４は、空気室１８内の空気容積部と連通すると共に最終的には液体ポンプ支持体３０内の通路を通して分与チューブ４６と連通する。
【００１１】
圧縮可能な空気室１８は、空気を収容すると共に、膨張容積部と圧縮容積部との間を選択的に往復動するようにされている。ばねの形の偏倚部材４８が、空気ピストン４０を空気室１８のための膨張容積部を限定する休止位置へ付勢している。圧縮可能な空気室１８は、空気ピストン４０を偏倚部材４８に抗して付勢せしめることにより圧縮させられ、圧縮容積部に達する。これは、空気を空気通路４４を通して最終的には分与チューブ４６の空気分与チューブ９６（後述する図７を参照）内へ付勢せしめることを生じせしめる。偏倚部材４８に抗する力を弱めることにより、空気ピストン４０はその休止位置へ戻され、膨張容積部は再確立する。空気ピストン４０がその休止位置へ戻されると、空気が分与チューブ４６を通して逆戻りに吸引され、空気室１８の膨張容積部を充填する。すなわち、空気は、空気を空気室１８の外へ付勢せしめるときの通路とは逆の通路を通して空気室１８内へ吸引される。これは、後で詳細に述べるように、スパウト出口におけるしたたりを防止するのに役立つことができる。選択的に、例えば符号５０により示されているような一方向空気弁を空気ピストン４０又は空気室１８と連通するほかの場所に設けることができる。
【００１２】
圧縮可能な液体室５２は、保持リング５４を介して液体ポンプ支持体３０に対してシールされている。ディップチューブ７６は、液体ポンプ支持体３０内のディップチューブ通路５６（軸方向支持体２６内の軸方向通路５７を通して延びている）を通して延びて、容器１２の容積部と圧縮可能な液体室５２の容積部との間にボール弁５８を通して連通している。より詳細には、圧縮可能な液体室５２はフレキシブルなダイアフラム６０により形成され、このダイアフラム６０は弁板６２及び弁フィルム６４をおおって液体ポンプ支持体３０に保持リング５４を介して固着されている。圧縮可能な液体室５２の容積部は、所望するならば、スポンジ材料で充填することができ、これにより液体室を圧縮から回復するのを助ける。弁板６２は入口穴６５及び出口穴６６を包含し（図５）、入口穴６５はディップチューブ通路５６と整列していると共に、出口穴６６は液体ポンプ支持体３０の液体通路６８（図６）と整列している。弁フィルム６４は入口穴６５と整列している開口６３（図３）を包含し、これらの入口穴６５と開口６３とにより形成される穴７０は液体がボール弁５８のボール７２を越えて圧縮可能な液体室５２内に流れるのを可能にする働きをする。弁フィルム６４は、また、弁板６２の出口穴６６と整列しているフラップ弁７４（図３）を包含し、このフラップ弁７４は液体が液体ポンプ支持体３０の液体通路６８内に流れるのを可能にする働きをする。液体がディップチューブ７６及びディップチューブ通路５６を通して圧縮可能な液体室５２内に入る実際の働き及び出口穴６６を通して圧縮可能な液体室５２から出る実際の動きは、圧縮可能な液体室５２の容積部の圧縮及び膨張に基づく。
【００１３】
フレキシブルなダイアフラム６０は、図２に示されている、膨張容積部を有する形状に自然に休止している弾性材料から作られている。したがって、一般に知られているように、圧縮可能な液体室５２は膨張容積部と圧縮容積部との間を選択的に往復動することができる。より詳細には、圧縮可能な液体室５２はフレキシブルなダイアフラム６０を押すことにより圧縮されて、圧縮容積部へ達せられる。圧縮可能な液体室５２のこの圧縮は、その中に保持されている液体を出口穴６６を通して付勢せしめ、最終的には分与チューブ４６の液体分与チューブ９４（後述する図７を参照）内へ付勢せしめて、この分与チューブを通して分与せしめることを生じせしめる。フラップ弁７４は、図３に示されているように、出口穴６６の下に位置している弁フィルム６４のカットアウト部分であり、フラップ弁７４は液体がこのフラップ弁を通過することができるように曲がっている。圧縮の間中、圧縮可能な液体室５２内の液体はディップチューブ７６内へ動くことが防止されている。なぜなら、ボール７２がディップチューブ通路５６の頂部開口端を閉じているからであり、ボール７２は液体ポンプ支持体３０の内部に形成されて通路を狭くしている傾斜壁７８に当接する。したがって、１回分の液体が圧縮可能な液体室５２の圧縮の間中出口穴６６及びフラップ弁７４を通して分与チューブ４６に向かって付勢される。フレキシブルなダイアフラム６０への圧力を弱めることにより、ダイアフラム６０はその自然の休止形状の膨張容積部に戻り、この戻りの間にダイアフラム６０は液体をディップチューブ７６を通して、それからボール７２を通過させて圧縮可能な液体室５２内に吸い上げる。より詳細には、図５に見られるように、入口穴６５は複数のノッチ６７を有し、これらのノッチは、たとえボール７２が液体室５２に生成した吸引力により吸い上げられて入口穴６５に接触しても、ボール７２を通過する液体の通路を可能にし、すなわち、これらのノッチはボール７２を越えて突き出て、入口穴６５の残部がボール７２を保持する。膨張の間中、液体は出口穴６６内へ吸い戻されることを防止される。すなわち、出口穴６６はフラップ弁７４よりも小さく、したがってフラップ弁７４が上向きにフリッピングするのを防止し、これにより液体がフラップ弁７４を通過するようにすることを防止するからである。
【００１４】
代替例として、ボール弁５８の機能は弁板６２の入口穴６５の下に横たわる弁フィルム６４の入口フラップ弁に置換することができる。これは、液体が圧縮可能な液体室５２に入る又はこの液体室から出る流れ制御を提供する。また、フレキシブルなダイアフラム６０は、剛性の室及びピストン設計、例えば本明細書に圧縮可能な空気室１８のために示されている剛性の室及びピストン設計とすることができる。
【００１５】
ここまでは、液体及び空気がそれらの各々の供給源、すなわち、圧縮可能な空気室１８及び圧縮可能な液体室５２から最終的に分与チューブ４６内へ進むことを述べてきた。次に、液体及び空気が流れる通路を一層詳細に述べることにする。最初に、分与器１０はその最初に製作されたときには容器１２内に液体製品Ｐを有しているが、圧縮可能な液体室５２は空であることを認識すべきである。この圧縮可能な液体室５２の圧縮及び膨張を繰り返すことにより、液体製品はディップチューブ７６を通して圧縮可能な液体室５２内へ量を増大して進み、この液体の量を増大しての進みは圧縮可能な液体室５２の圧縮状態と膨張状態との間の容積差に依存する。圧縮可能な液体室５２が充填されると、その圧縮は液体を分与チューブ４６に向かって、最終的にはスパウト８２の先端の出口８０に向かって進めることを始める。出口８０に向かう液体の進み量も、また、増大する。圧縮及び膨張を多数回繰り返したあと、出口８０までのディップチューブ７６の液体通路の全体が液体製品Ｐで充填され、その後圧縮可能な液体室５２の各圧縮は出口８０で１回分の液体製品を放出する。分与器１０は製作されたときには空気で完全に充填されている空気通路を有しているけれども、空気は、液体製品Ｐと同様に、圧縮可能な空気室１８の圧縮の下でその通路に沿って量を増大して進むことをまた認識すべきである。すでに述べたように、圧縮可能な空気室１８が膨張すると、空気は出口８０を通して量を増大して吸い戻され、圧縮可能な空気室１８の膨張容積部に向かう通路に沿って逆戻りする。この理解に関して、出口８０に向かう空気及び液体のための通路が次に述べられる。
【００１６】
図５−図７を参照するに、液体は出口穴６６及びフラップ弁７４を通して圧縮可能な液体室５２を出て、液体ポンプ支持体３０の半径方向液体通路６８に入る。この液体通路６８は、半径方向へ延びてエルボ８６の液体通路８４と連通する。軸方向空気通路４４は、液体ポンプ支持体３０の穴９０を通して半径方向空気通路８８と連通すると共に、液体通路６８と平行に延びてエルボ８６の空気通路９２と連通する。空気及び液体は、したがって、分与器１０内においてもまだ分離している。エルボ８６の液体及び空気の各々の通路８４，９２を通して、液体及び空気は次に分与チューブ４６と連通する。分与チューブ４６は、好適には、空気と液体とを出口８０のすぐ隣まで分離することを維持するような構成とされている。
【００１７】
図７を参照するに、分与チューブ４６が同軸管である中央液体分与チューブ９４及び外側の管状空気分与チューブ９６により構成されていることを見ることができよう。液体分与チューブ９４は液体通路８４と連通し、また空気分与チューブ９６は空気通路９２と連通する。これらの両方のチューブ９４及び９６は混合室９８で合流して終わっており、この混合室９８は入口網１００及び出口網１０２により境界が定められている。出口網１０２は、好適には、出口８０を直接に形成するか、又は図示されるように出口８０に非常に接近して設置される。この方法により、空気及び液体は、それらが出口８０に向かって進められるときの分離が維持される。これは、作動せしめるのが容易である分与器１０を作る。なぜなら、泡を分与器１０を通して進めるために要求される力よりも小さな力が分離した空気及び液体を進めるために必要とされるからであり、分与器を通して進められる泡は、先行技術において一般的に実施されているように、圧縮可能な空気室の出口及び圧縮可能な液体室の出口のすぐ隣に生成されている。
【００１８】
図２及び図３に戻って参照するに、分与器１０は手動又はデュアルアクチュエータ１０４の電子動きにより作動される。デュアルアクチュエータ１０４は円筒形のピストン部材として示されており、このピストン部材はその動きが圧縮可能な空気室１８の半径方向範囲内で可能であるような直径を有する大きさとされている。デュアルアクチュエータ１０４の底部縁１０６は圧縮可能な空気室１８のピストン４０と接触し、また、デュアルアクチュエータ１０４の頂部縁１０８は圧縮可能な液体室５２の上方に横たわっており、好適には、図示されるようにばねの形の圧縮遅延要素１１０がそれらの間に介在されている。デュアルアクチュエータ１０４はその側壁１１４に設けたカットアウト部分１１１を包含し、このカットアウト部分１１１はエルボ８６がデュアルアクチュエータ１０４の半径方向外向きに延びるのを可能にする。側壁１１４から延びているストップリブ１１２は、キャップ１１８のリップ１１６に係合して、デュアルアクチュエータ１０４を偏倚部材４８の力に抗して休止位置に保持する。
【００１９】
デュアルアクチュエータ１０４は、偏倚部材４８（及び圧縮遅延要素１１０）の偏倚力に抗して動かされて、圧縮可能な空気室１８及び圧縮可能な液体室５２の両方を圧縮する。これは、すでに述べたように、１回分の空気及び液体を分与器１０を通して進ませ、したがって混合室９８で泡を作り、この泡が固定分与チューブ４６を通して出口８０を出る。より詳細には、デュアルアクチュエータ１０４を下向きに押すことにより、圧縮遅延要素１１０を介してフレキシブルなダイアフラム６０を下向きに押し、したがってダイアフラム６０を圧縮して、液体をすでに述べたように分与器１０を通して進ませる。圧縮遅延要素１１０は、初期圧力の下にあり、したがってピストン４０の動きに関してフレキシブルなダイアフラム６０の屈折を遅らせる働きをする。これは、液体が進まされる前に少量の空気が動かされることを生じせしめる。この動かされた空気は、空気通路にわたっての小さなクリアランスを通してのその動きに対する抵抗のため及び入口網１００を通しての空気の動きに対しての抵抗のために、圧力を高める。したがって、液体がデュアルアクチュエータ１０４の適当な移動により動かされたときには、液体及び空気の両方は圧力の下で混合室９８を出て、高品質の泡状製品を作る。もし液体が進む前に空気通路が予圧されていない場合には、泡状製品は分与の始まりにおいて非常に湿っているであろう。
【００２０】
デュアルアクチュエータ１０４を下向きに押す圧力を解放することにより、偏倚部材４８、フレキシブルなダイアフラム６０及び圧縮遅延要素１１０のすべてはシステムをその通常の休止状態に戻すのを助ける働きをする。より詳細には、圧縮可能な空気室１８及び圧縮可能な液体室５２は膨張し、空気が混合室９８及び環状の空気分与チューブ９６を通して出口８０から下向きに吸い込まれ、最終的には圧縮可能な空気室１８に戻される。出口８０から空気室１８に戻るこの空気の動きは、出口８０におけるしたたりを防止するのを助けることができる。
【００２１】
次のことを認識すべきである。すなわち、図面に示されている分与器１０は特にカウンターに取り付けられる例において有益であるが、しかし、ここに開示した一般的な構成及び概念は手で持つ分与器及び壁に取り付ける分与器にも適用できるものである。手で持つ分与器の例においては、分与器１０はこの分与器１０のために開示した構成要素でもって簡単に作ることができ、これらの構成要素はスマートな外観を作ると共にプラジャーの作動を容易にするように作られる。分与器を壁に取り付ける例においては、構成要素は共通の壁取付けハウジング内に適合するように再び容易に改作される。
【００２２】
分与器をカウンターに取り付ける例においては、キャップ１１８がねじ切りした首部２０に螺合されて、上側の半径方向フランジ２２をガスケット２４に対して押し付け、したがって分与器１０の機能的な構造を保証するのを助ける。米国特許出願公開２００７／００１７９３２に記載されているように、エルボ８６のためのカットアウト部分を備えているキー付きオーバキャップ１３０は、キャップ１１８の外周に嵌着され、容器１２、関連する圧縮可能な液体室５２及び空気室１８、エルボ８６及び分与チューブ４６の組合体を容器支持体１４０（後述する図８を参照）に固定する手段として働く。
【００２３】
カウンターに取り付けた分与器１０は、図８に示されている。容器１２は好適には容器支持体１４０内に受け入れられ、また、分与ヘッド１６０は好適には分与ヘッド１６０に関して容器支持体１４０を回転させる必要なしにコネクタ１５０を介して容器支持体１４０に取り付けられている。分与ヘッド１６０の延長部分１７０はコネクタ５０内にはまり込み、このはまり込みは延長部分１７０の穴（図示せず）がコネクタ５０の穴（図示せず）と整合するまで行われ、これにより、ロックピン（図示せず）をこれらの穴を通して挿入して、容器支持体１４０及び関連する容器１２を分与ヘッド１６０の延長部分１７０に保持することができる。泡ポンプ機構１４は、容器１２に取り付けられ、プランジャー２００を矢印Ａで示すように押し下げることにより作動されて、製品Ｐをスパウト２８０の出口８０から分与せしめる。分与ヘッド１６０の延長部分１７０及び容器支持体１４０は、シャフト１３２の通過を許す（図２を参照、図２においてシャフト１３２は点線で示されており、このようなシャフト１３２は分与器を手で持たない例において特に適用可能なものである）。シャフト１３２は、関連するプランジャー２００から延びて、デュアルアクチュエータ１０４の頂部壁１０８に係合する。分与ヘッド１６０の延長部分１７０及び容器支持体１４０は、また、製品を容器１２からスパウト２８０の出口８０にまで運ぶ分与チューブ４６の通過を許す。
【００２４】
電子式作動システムにおいては、プランジャー２００がハンドフリー作動手段、例えば、トリップされたときに電子手段を作動せしめてギヤ機構を動かし、これによりシャフト１３２を前進せしめて圧縮可能な空気室１８及び液体室５２を圧縮せしめるようにするセンサと置換される。前記電子手段は、また、シャフト１３２をその前進位置からその休止位置に戻すことを可能にし、したがってシステムを次の作動のためのスタート準備におくことができる。
【００２５】
前述した本発明の特定の実施例においては、製品Ｐは空気と混合されたときに泡となることができる液体であり、製品Ｐは特に泡を生成することができる皮膚ケア又は皮膚消毒製品から選択される。しかしながら、本発明はこのような製品の分与に限定されるものではない。なぜなら、ここに提案した分与器は他の製品のために用いることができることは容易に認識されるからである。
【００２６】
以上述べた説明から、本発明は技術を相当に改善する分与システムを提供することが明らかになったであろう。また、特許法にしたがって本発明の好適な実施例についてのみ詳細に述べたけれども、本発明はこのような特定の実施例に又はこれにより限定されるものではない。したがって、本発明の範囲は本発明の範囲を逸脱することのないすべての変更及び変形を包含するものである。
【図面の簡単な説明】
【００２７】
【図１】本発明による分与器の概略斜視図である。
【図２】ディップチューブ７６及び分与チューブ４６を通過する線に沿う断面図であって、前記分与器の構成部品を示す。
【図３】前記分与器の分解図である。
【図４】図２の線４−４に沿う断面図であって、軸方向支持体２６及びその空気通路４４を示す。
【図５】図２の線５−５に沿う断面図であって、圧縮可能な液体室５２に関連する弁板６２を示す。
【図６】図２の線６−６に沿う断面図であって、液体ポンプ支持体３０、その液体通路６８及び空気通路８８を示す。
【図７】図２の線７−７に沿う断面図であって、エルボ８６及びこのエルボを通しての液体ポンプ支持体３０と分与チューブ４６との間の連通を示し、また分与チューブ４６の同軸管構成を示す。
【図８】カウンターに取り付けられている例において示されている前記分与器の概要図である。
【符号の説明】
【００２８】
１０  分与器
１２  容器
１４  泡ポンプ機構
１６  開口端
１８  圧縮可能な空気室
２０  ねじ切りした首部
２２  上側の半径方向フランジ
２４  容器ガスケット
２６  軸方向支持体
２８  底部壁
３０  液体ポンプ支持体
３２  側壁
３４  環状リブ
３６  環状デテント
３８  側壁
４０  空気ピストン
４２  穴
４４  空気通路
４６  分与チューブ
４８  偏倚部材
５０  一方向空気弁
５２  圧縮可能な液体室
５４  保持リング
５６  ディップチューブ通路
５７  軸方向通路
５８  ボール弁
６０  ダイアフラム
６２  弁板
６３  開口
６４  弁フィルム
６５  入口穴
６６  出口穴
６８  液体通路
７０  穴
７２  ボール
７４  フラップ弁
７６  ディップチューブ
７８  傾斜壁
８０  出口
８２  スパウト
８４  液体通路
８６  エルボ
８８  空気通路
９０  穴
９２  空気通路
９４  中央液体分与チューブ
９６  空気分与チューブ
９８  混合室
１００  入口網
１０２  出口網
１０４  デュアルアクチュエータ
１０６  底部縁
１０８  頂部壁
１１０  圧縮遅延要素
１１１  カットアウト部分
１１２  ストップリブ
１１４  側壁
１１６  リップ
１１８  キャップ
１３０  キー付きオーバキャップ
１３２  シャフト
１４０  容器支持体
１５０  コネクタ
１６０  分与ヘッド
１７０  延長部分
２００  プランジャー
２８０  スパウト
Ｐ  製品
【図１】
0005330715.tif 000002
【図２】
0005330715.tif 000003
【図３】
0005330715.tif 000004
【図４】
0005330715.tif 000005
【図５】
0005330715.tif 000006
【図６】
0005330715.tif 000007
【図７】
0005330715.tif 000008
【図８】
0005330715.tif 000009